(57)【要約】【課題】着信時に発信元の電話番号および名称を通知する通信網のサービスを利用する通信端末装置において通信の安全性を向上する。【解決手段】電話機の制御部１内の通信制御部１１に、発信元の電話番号および名称の少なくとも一方が通知された場合にその通知を検出する通知検出手段１２と、その検出結果に応じたメッセージを発信元へ送出するメッセージ送出手段１４とを設け、発信元の名称又は電話番号を検出できなかった場合には、それを発信元に通知してかけ直しを促し、身元が不明な発信元と不用意に通話できないようにする。【選択図】        図１
2004236234.tif 000002
【特許請求の範囲】
【請求項１】
発信元の電話番号および該電話番号に対して登録されている名称を通知する通信網のサービスに対応する機能を備えた通信端末装置であって、
発信元の電話番号および名称の少なくとも一方が通知された場合にその通知を検出する通知検出手段と、
着信時に呼出信号を検出する呼出信号検出手段と、
発信元へメッセージを送出するメッセージ送出手段とを備え、
該メッセージ送出手段は、前記呼出信号検出手段が検出する呼出信号に応答して、前記通知検出手段による前記通知の検出結果に応じたメッセージを選択して送出することを特徴とする通信端末装置。
【請求項２】
請求項１記載の通信端末装置において、
前記メッセージ送出手段は、前記通知検出手段が発信元の名称を検出できない場合に前記呼出信号検出手段が検出する呼出信号に応答して、名称を検出できない場合に対応するメッセージを送出することを特徴とする通信端末装置。
【請求項３】
請求項１記載の通信端末装置において、
前記メッセージ送出手段は、前記通知検出手段が発信元の名称を検出して電話番号を検出できない場合には第１のメッセージを、前記通知検出手段が発信元の電話番号を検出して名称を検出できない場合には第２のメッセージを、それぞれ前記呼出信号検出手段が検出する呼出信号に応答して送出することを特徴とする通信端末装置。
【請求項４】
請求項１記載の通信端末装置において、
前記メッセージ送出手段は、前記通知検出手段が発信元の電話番号を検出して名称を検出できない場合には第２のメッセージを、前記通知検出手段が発信元の電話番号と名称のいずれも検出できない場合には第３のメッセージを、それぞれ前記呼出信号検出手段が検出する呼出信号に応答して送出することを特徴とする通信端末装置。
【請求項５】
請求項１記載の通信端末装置において、
前記メッセージ送出手段は、前記通知検出手段が発信元の名称を検出して電話番号を検出できない場合には第１のメッセージを、前記通知検出手段が発信元の電話番号と名称のいずれも検出できない場合には第３のメッセージを、それぞれ前記呼出信号検出手段が検出する呼出信号に応答して送出することを特徴とする通信端末装置。
【請求項６】
請求項３記載の通信端末装置において、
前記メッセージ送出手段は、前記通知検出手段が発信元の電話番号と名称のいずれも検出できない場合には、前記呼出信号検出手段が検出する呼出信号に応答して第３のメッセージを送出することを特徴とする通信端末装置。
【請求項７】
発信元の電話番号および該電話番号に対して登録されている名称を通知する通信網のサービスに対応する機能を備えた通信端末装置であって、
発信元の電話番号および名称の少なくとも一方が通知された場合にその通知を検出する通知検出手段と、
着信時に呼出信号を検出する呼出信号検出手段と、
該呼出信号検出手段が呼出信号を検出したとき、発信元へ留守番応答メッセージを送出した後、発信元からのメッセージを録音する留守番電話手段と、
該留守番電話手段の機能の設定と解除を切り換える切換手段とを備え、
該切換手段により前記留守番電話手段の機能が設定されているとき、該留守番電話手段は前記呼出信号検出手段が検出する呼出信号に応答して、前記通知検出手段による前記通知の検出結果に応じた留守番応答メッセージを選択して送出することを特徴とする通信端末装置。
【請求項８】
請求項７記載の通信端末装置において、
前記留守番電話手段は、前記通知検出手段が発信元の名称を検出できない場合に前記呼出信号検出手段が検出する呼出信号に応答して、名称を検出できない場合に対応する留守番応答メッセージを送出することを特徴とする通信端末装置。
【請求項９】
請求項７記載の通信端末装置において、
前記留守番電話手段は、前記通知検出手段が発信元の名称を検出して電話番号を検出できない場合には第１の留守番応答メッセージを、前記通知検出手段が発信元の電話番号を検出して名称を検出できない場合には第２の留守番応答メッセージを、それぞれ前記呼出信号検出手段が検出する呼出信号に応答して送出することを特徴とする通信端末装置。
【請求項１０】
請求項７記載の通信端末装置において、
前記留守番電話手段は、前記通知検出手段が発信元の電話番号を検出して名称を検出できない場合には第２の留守番応答メッセージを、前記通知検出手段が発信元の電話番号と名称のいずれも検出できない場合には第３の留守番応答メッセージを、それぞれ前記呼出信号検出手段が検出する呼出信号に応答して送出することを特徴とする通信端末装置。
【請求項１１】
請求項７記載の通信端末装置において、
前記留守番電話手段は、前記通知検出手段が発信元の名称を検出して電話番号を検出できない場合には第１の留守番応答メッセージを、前記通知検出手段が発信元の電話番号と名称のいずれも検出できない場合には第３の留守番応答メッセージを、それぞれ前記呼出信号検出手段が検出する呼出信号に応答して送出することを特徴とする通信端末装置。
【請求項１２】
請求項９記載の通信端末装置において、
前記留守番電話手段は、前記通知検出手段が発信元の電話番号と名称のいずれも検出できない場合には、前記呼出信号検出手段が検出する呼出信号に応答して第３の留守番応答メッセージを送出することを特徴とする通信端末装置。
【請求項１３】
請求項７記載の通信端末装置において、
発信元へメッセージを送出するメッセージ送出手段を有し、
前記切換手段により前記留守番電話手段の機能が解除されている場合には、前記メッセージ送出手段が、前記呼出信号検出手段が検出する呼出信号に応答して、前記通知検出手段による前記通知の検出結果に応じたメッセージを選択して送出するようにしたことを特徴とする通信端末装置。
【発明の詳細な説明】
【０００１】
【発明の属する技術分野】
この発明は、電話機，ファクシミリ装置，ＰＨＳを含む携帯電話機などの通信端末装置に関し、特に着信時に発信元の電話番号およびその電話番号に対して登録されている名称を通知する通信網のサービスに対応する機能を備えた通信端末装置に関する。
【０００２】
【従来の技術】
近年、アナログ回線，デジタル回線，携帯通信網などの通信網（ネットワーク）を用いた通信では、発信元の通信端末装置（本願では単に「発信元」と云う）の電話番号を着信先の通信端末装置（以下、単に「着信先」と云う）に通知するナンバーディスプレイサービスなどの発信元電話番号通知サービスが提供され、一般的に利用され始めている。
そのため、電話機，ファクシミリ装置，ＰＨＳを含む携帯電話機などの通信端末装置では、この発信元電話番号通知サービスを利用するための機能（発信元の電話番号を検出する機能、発信元の電話番号を表示する機能など）を持つものが多く市販されている。
【０００３】
さらに、このような機能を持つ通信端末装置（以下、「発信元電話番号通知サービス対応型の通信端末装置」と云う）の中には、電話番号を通知した通信は安全であると想定して、電話番号が非通知の場合に応答を拒否する付加機能を持つものもある。
しかし、実際は電話番号を通知したからといって発信元のユーザが信用できるとは限らない。例えば、社会問題になった携帯電話のいわゆる「ワン切り」という迷惑電話がある。
【０００４】
ワン切りとは、不特定多数の携帯電話に電話をかけて１回呼出音を鳴らした後で切断し、その携帯電話のユーザが着信記録にある発信元の電話番号へ電話をかけ直すと出会い系サイトやアダルト系番組などの有料番組につながるという悪質ないたずら電話である。さらに、同様な手法で電話をかけ直したユーザに録音したテープを聞かせ、後で多額の支払いを請求するワン切り業者の悪徳商法もある。
このように、電話番号を通知してきた発信元を安易に信用すると危険であり、発信元電話番号通知サービス対応型の通信端末装置でもユーザに必ずしも安全な通信を提供できるとはかぎらない。
【０００５】
そこで最近、発信元電話番号通知サービスを一歩進めたネームディスプレイサービスなどの発信元名称通知サービスが開始された。発信元名称通知サービスとは、発信元の電話番号に対して登録されている名称（電話帳掲載名、電話契約者名、電話会社の請求書送付先など）を着信先に通知するサービスである。
なお、ユーザがこの発信元名称通知サービスを利用するためには、サービスに対応する機能（発信元の名称を検出する機能、発信元の名称を表示する機能など）を持つ通信端末装置を使用しなければならない。
そのため、これらの機能および様々な付加機能を持つ通信端末装置（以下、「発信元名称通知サービス対応型の通信端末装置」と云う）の開発が進められている。
【０００６】
例えば特許文献１に見られるように、電話番号と名前とを相互に対応付けて記憶する電話帳を格納するメモリ、および発信元の電話番号と名称を含むメッセージを受信するメッセージ受信手段を有し、受信したメッセージを優先して表示する第１の表示モードと、上記電話帳に受信した電話番号に対応して登録されている名前等の情報を優先して表示する第２の表示モードと、その両方を表示する第３の表示モードをユーザが選択的に設定することができる通信端末がある。
なお、この通信端末では、どの表示モードが設定されているかを判定し、受信した発信元の名称又は電話帳に登録されている名前、あるいはその両方を選択的に表示するようにして、ユーザが混乱しないようにしている。
【０００７】
【特許文献１】
特開２００２−８４３６０号公報
【０００８】
【発明が解決しようとする課題】
しかしながら、上記特許文献１に記載されているような従来の発信元名称通知サービス対応型の通信端末装置では、単に通知された発信元の名称と電話帳の名前のどちらか、あるいは両方をユーザの選択に応じて表示するだけなので、発信元の名称が非通知の場合にそれが迷惑電話かどうかを区別できず、通信の安全性が充分には向上しないという問題点があった。
また、ユーザは通信端末装置の表示を見るまで発信元の名称の通知／非通知が判らないため、たとえば深夜に迷惑電話が繰り返し着信したような場合でも、着信音が鳴るたびに通信端末装置の設置位置まで移動してその表示を確認する必要があり、不便であるという問題点があった。
【０００９】
しかも、ユーザが目の不自由な方や高齢者である場合、あるいは視力が弱い場合は、発信元の名称の通知／非通知を確認し難く、特に通知された名称が画数の多い複雑な名前であるような場合には、視認できない可能性があるという問題点もあった。
さらに、ユーザが通信端末装置の一般的な機能である留守番電話機能を設定して留守にしている時に着信があった場合、発信元の名称が非通知であっても留守番電話が作動してしまうので、無言のメッセージの録音、および誹謗や嫌がらせなどの不要なメッセージの録音を防止することができないという問題点もあった。
この発明は上記の問題点に鑑みてなされたものであり、発信者通知サービスを利用して、ユーザがより安全に通信できる通信端末装置を提供することを目的とする。
【００１０】
【課題を解決するための手段】
この発明は、発信元の電話番号およびその電話番号に対して登録されている名称を通知する通信網のサービスに対応する機能を備えた通信端末装置であって、上記の目的を達成するため、発信元の電話番号および名称の少なくとも一方が通知された場合にその通知を検出する通知検出手段と、着信時に呼出信号を検出する呼出信号検出手段と、発信元へメッセージを送出するメッセージ送出手段とを備えたものであり、そのメッセージ送出手段が、呼出信号検出手段が検出する呼出信号に応答して、通知検出手段による通知の検出結果に応じたメッセージを選択して送出するようにしたものである。
【００１１】
このとき、メッセージ送出手段が、通知検出手段が発信元の名称を検出できない場合に呼出信号検出手段が検出する呼出信号に応答して、名称を検出できない場合に対応するメッセージを送出するとよい。
あるいは、メッセージ送出手段が、通知検出手段が発信元の名称を検出して電話番号を検出できない場合には第１のメッセージを、発信元の電話番号を検出して名称を検出できない場合には第２のメッセージを、それぞれ呼出信号検出手段が検出する呼出信号に応答して送出するとよい。
さらに、発信元の電話番号と名称のいずれも検出できない場合には第３のメッセージを送出すると一層よい。
【００１２】
または、メッセージ送出手段が、通知検出手段が発信元の電話番号を検出して名称を検出できない場合には第２のメッセージを、発信元の電話番号と名称のいずれも検出できない場合には第３のメッセージを、それぞれ呼出信号検出手段が検出する呼出信号に応答して送出するとよい。
逆に、メッセージ送出手段が、通知検出手段が発信元の名称を検出して電話番号を検出できない場合には第１のメッセージを、発信元の電話番号と名称のいずれも検出できない場合には第３のメッセージを、それぞれ呼出信号検出手段が検出する呼出信号に応答して送出してもよい。
【００１３】
また、通知検出手段と、呼出信号検出手段と、その呼出信号検出手段が呼出信号を検出したときに発信元へ留守番応答メッセージを送出した後で発信元からのメッセージを録音する留守番電話手段と、その留守番電話手段の機能の設定と解除を切り換える切換手段とを備え、その切換手段により留守番電話手段の機能が設定されているとき、留守番電話手段が呼出信号検出手段が検出する呼出信号に応答して、通知検出手段による通知の検出結果に応じた留守番応答メッセージを選択して送出するようにするとよい。
【００１４】
このとき、留守番電話手段が、通知検出手段が発信元の名称を検出できない場合に呼出信号検出手段が検出する呼出信号に応答して、名称を検出できない場合に対応する留守番応答メッセージを送出するとよい。
あるいは、留守番電話手段が、通知検出手段が発信元の名称を検出して電話番号を検出できない場合には第１の留守番応答メッセージを、発信元の電話番号を検出して名称を検出できない場合には第２の留守番応答メッセージを、それぞれ呼出信号検出手段が検出する呼出信号に応答して送出するとよい。
さらに、発信元の電話番号と名称のいずれも検出できない場合には第３の留守番応答メッセージを送出すると一層よい。
【００１５】
または、留守番電話手段が、通知検出手段が発信元の電話番号を検出して名称を検出できない場合には第２の留守番応答メッセージを、発信元の電話番号と名称のいずれも検出できない場合には第３の留守番応答メッセージを、それぞれ呼出信号検出手段が検出する呼出信号に応答して送出するとよい。
逆に、留守番電話手段が、通知検出手段が発信元の名称を検出して電話番号を検出できない場合には第１の留守番応答メッセージを、発信元の電話番号と名称のいずれも検出できない場合には第３の留守番応答メッセージを、それぞれ呼出信号検出手段が検出する呼出信号に応答して送出してもよい。
【００１６】
さらに、前述したように発信元へメッセージを送出するメッセージ送出手段も有し、前述の切換手段により留守番電話手段の機能が解除されている場合には、メッセージ送出手段が、呼出信号検出手段が検出する呼出信号に応答して通知検出手段による通知の検出結果に応じたメッセージを選択して送出するようにしてもよい。
【００１７】
【発明の実施の形態】
以下、この発明の実施の形態を図面に基づいて説明する。
〔第１の実施形態〕
まず、この発明の第１の実施形態を図１及び図２によって説明する。図１は、その通信端末装置である電話機の構成を簡略化して示すブロック図であり、図２はその制御部による着信時の基本的な動作を示すフローチャートである。
この電話機は図１に示すように、制御部１および通信部２、操作部５、表示部６および鳴動部７等を備えた本体と、送話器と受話器を一体にしたハンドセット３とからなる。
【００１８】
通信部２はモジュラージャックを有し、図示しないモジュラープラグを介して電話線１８と接続するとともにハンドセット３とも接続し、そのハンドセット３のオフフックとオンフックにより電話回線を接続（閉結）および切断する。そして、後述する通信制御部１１に制御されて発信元との通信およびハンドセット３による通話に必要な制御を行う。
操作部５は、ダイヤリング等に使用するための「０」〜「９」，「＊」，「＃」などの番号ボタンと、「フックボタン」，「保留ボタン」，「リダイヤルボタン」，「留守番ボタン」など電話機の各種機能を設定するための複数の設定ボタンからなる。
【００１９】
表示部６はＬＣＤ表示器（ＬＣＤディスプレイ）であり、通知された発信元の電話番号および名称、電話機の機能の設定状態、電話機の操作ガイダンスなどの情報を表示する。また、鳴動部７は音源およびスピーカを有し、ベル音などの着信音を鳴らしてユーザに電話の着信を知らせる。
なお、これらの通信部２，ハンドセット３，操作部５，表示部６，鳴動部７はこの発明に特有のものではなく、従来の電話機にも設けられている一般的なものであるから、その詳細な説明は省略する。
【００２０】
一方、本体内の制御部１は、各種判断及び処理機能をもち、この電話機全体の動作を制御する中央処理装置であるＣＰＵ８と、そのＣＰＵ８が使用するファームウェア（処理プログラム）及び固定データを格納した書き換え可能な不揮発性メモリであるフラッシュＲＯＭ９と、ＣＰＵ８が動作するために必要なワークエリアを形成してＣＰＵ８の処理データを一時格納するデータメモリであるＲＡＭおよび後述する各種応答メッセージ等のデータを記憶する不揮発性ＲＡＭを含む記憶部１０と、図示しない入出力回路（Ｉ／Ｏ）とからなるマイクロコンピュータを備えている。
【００２１】
なお、記憶部１０は、フラッシュＲＯＭ９への緩衝バッファとしても使用し、さらに、電話機に必要な各種情報を記憶して蓄積する。そして、この記憶部１０に、複数の応答メッセージ、例えば「名称を通知しておかけ直しください」、「電話番号を通知しておかけ直しください」、「名称および電話番号を通知しておかけ直しください」、「呼び出しておりますので少しお待ち下さい」などを予め格納しておく。
この制御部１はさらに、通信部３，表示部６，鳴動部７にそれぞれ接続してその動作を制御する通信制御部１１，表示制御部１５，鳴動制御部１６を有し、これらの各部はマイクロコンピュータのバス１７によって相互に接続されている。
【００２２】
通信制御部１１は、通信部３で行う電話回線の接続および切断等を制御するとともに、通信相手の電話機との送受信を制御する。さらに、発信元の電話番号および名称の少なくとも一方が通知された場合にその通知を検出する通知検出手段１２と、着信時に呼出信号を検出する呼出信号検出手段１３と、上述した記憶部１０に記憶されているメッセージを選択して通信部２および電話線１８を介して発信元へ送出するメッセージ送出手段１４とを有する。
通信制御部１１におけるこれらの各手段の機能も、通信制御部１１の機能もＣＰＵ８による判断および処理機能によって実行される。
一方、表示制御部１５は、表示部６の明度や文字の大きさなどを制御する。また、鳴動制御部１６は鳴動部７が鳴らす着信音などの音色および音量などを制御する。
なお、第１の実施形態および後述する第２，第３の実施形態では、表示制御部１５および鳴動制御部１６には、従来の電話機に設けられているのと同様なものを使用できる。よって、ここではその詳細な説明を省略する。
【００２３】
次に、この電話機の制御部１の基本的な動作を図２に示すフローチャートによって説明する。
この制御部１１は、動作を開始すると常にステップＳ１で電話の着呼を待ち受け、着呼が有るとステップＳ２で発信元の電話番号および名称を検出する。これは図１に示した通知検出手段１２の機能であり、発信元の電話番号または名称を検出できない場合は、発信元の電話番号または名称が非通知であると判断する。
次いでステップＳ３で呼出信号検出手段１３が呼出信号を検出すると、ステップＳ４でその呼出信号に応答した後、ステップＳ５でメッセージ送出手段１４が前述した記憶部１０に格納されている応答メッセージの中から通知検出手段１２の検出結果に応じたものを選択し、ステップＳ６でそのメッセージを通信部２および電話線１８を介して発信元に送出する。
【００２４】
このメッセージは、通知検出手段１２の検出結果に応じて、電話番号または名称、あるいはその両方が検出されなかった場合にそれぞれ対応して、例えば「名称を通知しておかけ直しください」、「電話番号を通知しておかけ直しください」、「名称および電話番号を通知しておかけ直しください」などを選択して送出する。また、電話番号と名称が検出された場合にも、例えば「呼び出しておりますので少しお待ち下さい」のようなメッセージを送出するようにするとよい。
このようなメッセージを音声信号で送出することにより、送信元の電話機のハンドセットにおける受話器からそれが送信者に音声で伝えられ、名称又は電話番号あるいは名称と電話番号を通知するようにしてかけ直すように注意を喚起することができる。
【００２５】
その後、ステップＳ７に進んで通常の通話処理を行って処理を終了する。
この通話処理では、ベル音等の着信音を鳴らし、その着信音にユーザが気づいて電話をとる（ハンドセット３を持ち上げるかまたは操作部５のフックボタンを押下して電話機をオフフックする）と、通信部２に回線を閉結させ、電話機をハンドセット３によって発信元と通話が可能な状態にする。この通話が可能な状態は、発信元から送られる切断信号を検出するか、またはユーザが電話を切る（ハンドセット３を元に戻すか操作部５のフックボタンを再度押して電話機をオンフックする）と終了する。しかし、これらの処理はこの発明に特有のものではないため、その詳細な説明は省略する。
【００２６】
着呼時に発信元の名称又は電話番号あるいはその両方を検出できなかった場合には、ステップＳ６で前述のようにそれらを通知してかけ直すように促す応答メッセージを発信元へ送出するため、発信元のユーザはそのメッセージを聞いて一端電話を切るので、この通話処理は発信元と通話することなくすぐに終了してしまう。したがって、発信元が不明な着信に不用意に応答して通話してしまうのを防止することができる。
着呼時に発信元の名称と電話番号を検出できた場合には、発信元のユーザと通常の通話を行うことができ、いずれか一方が電話を切ったときに通話処理を終了し、このフローチャートの処理をエンドする。そして、再びこの処理をスタートしてステップＳ１で着呼を待つ。
なお、着呼時に発信元の名称又は電話番号あるいはその両方を検出できなかった場合には、ステップＳ６で応答メッセージを送出した後、ステップＳ７の通話処理を行わず、回線を切断して処理をエンドし、再びスタートに戻ってステップＳ１で着呼を待つようにしてもよい。
そうすれば、不要な着信音に煩わされたり、発信元が不明な着信に誤って応答してしまうのを一層確実に防止することができる。
【００２７】
ところで、ステップＳ６で応答メッセージを文字データで送信して、送信元の電話機の表示部に文字で表示させるようにしてもよいし、音声と文字の両方でメッセージを送出するようにしてもよい。
また、応答メッセージの内容や数は上述した例に限るものではない。例えば、通知検出手段１２が特定の電話番号または名称を検出した場合に、メッセージ送出手段１４が特別な応答メッセージ（例えば、「勧誘電話および迷惑電話はお断りいたします」など）を送出するようにしてもよい。
また、それらの応答メッセージの音声を、複数種類の音声からユーザが選択できるようにするとよい。さらに、ユーザがオリジナルの応答メッセージを作成して記憶部１０に格納して使用できるようにしてもよい。
【００２８】
〔第１の実施形態の変形例〕
次に、上述したこの発明の第１の実施形態の種々の変形例を図３〜図７の各フローチャートによって説明する。
図３は、図１に示した電話機による制御部１の第１の変形例の動作を示すフローチャートである。この処理において、ステップＳ１，Ｓ２は図２に示したフローチャートの処理と同じである。
この変形例では、着信時にステップＳ２で通知検出手段１２が発信元の名称と電話番号の検出を行なった後、ステップＳ１０で発信元の名称を検出できたか否かを判断し、検出できた場合すなわち発信元名称通知の場合はステップＳ１１へ進む。そこで呼出信号検出手段１３が呼出信号を検出すると、ステップＳ１２で鳴動制御部１６が鳴動部７を制御してベル音などの着信音（呼び出し音）を鳴らす。
【００２９】
このとき、ユーザがその着信音に気がついて電話をとる（ハンドセット３を持ち上げるか、または操作部５のフックボタンを押下して電話機をオフフックする）と、ステップＳ１３で通信部２がそのオフフックを検知し、ステップＳ１４で呼信号に応答してステップＳ１８の通話処理に進み、電話機を発信元と通話が可能な状態にする。このステップＳ１８の通話処理は、図２のフローチャートのステップＳ７の通話処理から、着信音の鳴動とオフフックの検知を除いた処理である。
そして、この通話処理においていずれか一方が電話を切ったときに処理を終了し、再びスタートに戻ってステップＳ１で着呼を待つ。
【００３０】
ステップＳ１０で発信元の名称を検知できなかった場合すなわち発信元名称非通知の場合には、ステップＳ１５へ進み、呼出信号を検出するとステップＳ１６でその呼出信号に応答した後、ステップＳ１７でメッセージ送出手段１４が、名称を検出できなかった場合に対応する応答メッセージ、例えば、「名称を通知しておかけ直しください」、「名称が非通知なので電話に出ることができません」などを、通信部２および電話線１８を介して発信元に送出する。なお、これらの応答メッセージは予め記憶部１０に格納しておく。
そして、ステップＳ１８の通話処理を実行することなく処理を終了し、再びスタートへ戻ってステップＳ１で着呼を待つ。
この第１の変形例の場合は、発信元名称非通知のときには着信音が鳴らずに自動的に応答を拒否することになるので、ワン切りや無言電話などの迷惑電話が繰り返し着信するたびに着信音でユーザが煩わされるのを防止できるという利点がある。しかし、発信元の名称が非通知のときにも着信音が鳴るようにしてもよい。その場合でも通話処理はなされないので、発信元が不明な着信に誤ってオフフックして通話してしまうようなことはない。あるいはまた、自動的に応答を拒否せずに、応答するか否かをユーザが判断できるようにしてもよい。
【００３１】
図４は、図１に示した電話機による制御部１の第２の変形例の動作を示すフローチャートである。この処理において、ステップＳ１，Ｓ２およびステップＳ１０〜Ｓ１６とＳ１８は、図３に示したフローチャートの対応する各ステップの処理と同じであるのでその説明は省略する。
この第２の変形例では、ステップＳ１０で発信元の名称を検出できたときには、ステップＳ２０で発信元の電話番号を検出できたか否かを判断し、検出できた場合には図３に示したステップＳ１１〜Ｓ１４を経て、ステップＳ１８で通話処理を実行した後、処理を終了する。
ステップＳ２０で発信元の電話番号を検出できなかったときは、ステップＳ１５，Ｓ１６で呼出信号を検出して応答した後、ステップＳ２７でメッセージ送出手段１４がその第１の応答メッセージ、例えば「電話番号を通知しておかけ直しください」を送出して、通話処理を行うことなく処理を終了する。すなわち、名称を検出して電話番号を検出できない場合には第１の応答メッセージを送出する。
【００３２】
一方、ステップＳ１０で発信元の名称を検出できなかった場合は、ステップＳ２１で発信元の電話番号を検出できたか否かを判断し、検出できた場合すなわち発信元の名称は検出できなかったが電話番号は検出できた場合は、ステップＳ２２，Ｓ２３で呼出信号を検出して応答した後、ステップＳ２８でメッセージ送出手段１４が第２の応答メッセージ、例えば「名称を通知しておかけ直しください」を送出して、通話処理を行うことなく処理を終了する。
ステップＳ２１で発信元の電話番号も検出できなかった場合は、そのまま処理を終了する。この場合、発信元の名称と電話番号がいずれも非通知の着信には応答することなく自動的に応答拒否することができる。
いずれの場合も、このフローチャートの処理を終了すると再びスタートへ戻り、ステップＳ１で次の着呼を待つ。
【００３３】
図５は、図１に示した電話機による制御部１の第３の変形例の動作を示すフローチャートである。この処理において、ステップＳ２４，Ｓ２５，Ｓ２９以外の各ステップの処理は、上述した図４における対応する各ステップの処理と同じであるのでその説明は省略する。
この第３の変形例では、ステップＳ２１で発信元の電話番号も検出できなかった場合に、ステップＳ２４，Ｓ２５で呼出信号を検出して応答した後、ステップＳ２９でメッセージ送出手段１４が第３の応答メッセージ、例えば「名称および電話番号を通知しておかけ直しください」を送出する点だけが前述の第２の変形例と相違する。すなわち、この例では発信元の名称と電話番号のいずれも検出できなかった場合には、第３の応答メッセージを送出する。
このようにすれば、着呼時に発信元の名称と電話番号の両方とも検出できた場合だけ通話処理を行うことができ、いずれか一方又は両方とも検出できなかった場合には、それぞれの場合に対応する第１から第３の応答メッセージのいずれかを送出するので、非通知の着呼による着信音に煩わされたりそれに応答して通話してしまったりすることを防止でき、発信元のユーザにも通話できない理由が解りやすいメッセージで知らされることになる。
【００３４】
図６は、図１に示した電話機による制御部１の第４の変形例の動作を示すフローチャートである。この処理においては、前述した図５に示した第３の変形例の各ステップにおけるステップＳ２０とＳ１５，Ｓ１６〜Ｓ２７を除いている。
したがってこの例では、ステップＳ１０で発信元の名称を検出できたと判断した場合には、電話番号の検出の有無に係わらず、ステップＳ１１〜Ｓ１４を経てＳ１８の通話処理を実行するようにする。
一方、ステップＳ１０で発信元の名称を検出できなかったと判断した場合には、前述の第３の変形例と同じ処理を行う。したがって、発信元の名称は検出できないが電話番号を検出できた場合には第２の応答メッセージを送出し、名称も電話番号も検出できなかった場合には第３の応答メッセージを送出する。
【００３５】
図７は、図１に示した電話機による制御部１の第５の変形例の動作を示すフローチャートである。この処理においては、前述した図５に示した第３の変形例の各ステップにおけるステップＳ２２，Ｓ２３〜Ｓ２８を除き、ステップＳ２１で発信元の電話番号を検出できたと判断した場合は、ステップＳ１１へ進んで通話処理を行えるようにしている。
したがって、この例では、発信元の電話番号を検出できれば名称を検出できなくても通話可能にする。そして、名称を検出できたが電話番号を検出できなかった場合は第１の応答メッセージを送出し、名称も電話番号も検出できなかった場合は第３の応答メッセージを送出する
【００３６】
以上の各変形例で送出する第１乃至第３の応答メッセージも予め図１に示した記憶部１０に格納している。また、第１の実施形態の説明において述べたように、これらの応答メッセージを文字データで送信したり、音声と文字の両方で送出するようにしてもよい。また、各応答メッセージの内容や音声の種類をユーザが選択できるようにしたり、ユーザがオリジナルの各応答メッセージを作成して記憶部１０に格納して使用できるようにしてもよい。
【００３７】
〔第２の実施形態〕
次に、この発明による通信端末装置の第２の実施形態について、図８および図９によって説明する。
図８は、この発明による通信端末装置の第２の実施形態である電話機の機能を簡略化して示す図１と同様なブロック図であり、図９はその制御部による着信時の基本的な動作を示すフローチャートである。なお、図８において図１と同じ部分には同一符号を付してあり、それらの説明は省略する。
図８に示す第２の実施形態の電話機において、図１に示した第１の実施形態の電話機と相違する点は、本体に留守番電話部１９を備え、制御部２０内にその留守番電話部１９を制御する留守番電話制御部２２を設けている点である。
その留守番電話部１９は、小型カセットテープまたはハードディスク等のメモリに、発信元から送られる音声を録音するものである。
【００３８】
留守番電話制御部２２は、通信制御部２１の呼出信号検出手段１３が呼出信号を検出したときに、発信元へ留守番応答メッセージを送出した後、留守番電話部１９を制御して発信元のユーザによるメッセージ（以下、応答メッセージや留守番応答メッセージと明確に区別するために「伝言」と云う）を録音する留守番電話手段２３と、その留守番電話手段２３の機能の設定と解除を切り換える切換手段２４とを備えている。この切換替手段２４の設定と解除は、ユーザによる操作部５の留守電ボタンのオン／オフ等によってなされる。
なお、制御部２０内の通信制御部２１には図１に示した通信制御部１１のメッセージ送出手段１４を有していないが、この第２の実施形態では必須ではないので省略しているのであって、第１の実施形態と同じく、メッセージ送出手段１４を有する通信制御部１１を設けてもよい。、
【００３９】
この電話機の制御部２０の基本的な動作を、図９のフローチャートに沿って説明する。
制御部２０は、切換手段２４によって留守番電話手段２３の機能（留守電機能）が設定されていると、図９のフローチャートに示す処理をスタートし、これを繰り返し実行する。留守電機能が設定されていない場合は、図示しない通常の着信時の処理をスタートするか、前述した第１の実施形態の図２のフローチャートに示した処理あるいは第１乃至第５の変形例の図３乃至図７のフローチャートのいずれかに示した処理をスタートし、それを繰り返し実行する。
【００４０】
図９に示す処理をスタートすると、まずステップＳ３１で通信制御部２１が着呼を待ち受け、着呼が有るとステップＳ３２へ進んで、発信元から通知される電話番号および名称を検出する。
そして、ステップＳ３３で呼出信号検出手段１３が呼出信号を検出すると、ステップＳ３４で留守番電話手段２３がその呼出信号に応答し、ステップＳ３５で記憶部１０に格納されている複数の留守番応答メッセージの中から通知検出手段１２による通知の検出結果に応じた内容のものを選択し、ステップＳ３６でその留守番応答メッセージを通信部２および電話線１８を介して発信元へ送出する。
【００４１】
この留守番応答メッセージとしては、発信元の名称と電話番号が検出された場合には、例えば「只今留守にしております。発信音の後にお名前と伝言を録音してください」のようなメッセージを送出する。
発信元の名称と電話番号が両方とも検出できなかった場合は、「只今留守にしております。しばらくしてから電話番号と名称を通知しておかけ直しください。」のようなメッセージを送出する。
発信元の名称又電話番号が検出できなかった場合は、「只今留守にしております。しばらくしてから名称（又は電話番号）も通知しておかけ直しください。」、のようなメッセージを送出する。
【００４２】
その後、ステップＳ３７に進んで通常の留守番電話処理を行ってこのルーチンの処理を終了する。
この留守番電話処理では、通信制御部２１が発信元と通話可能なオフフック状態になり、留守番電話制御部２２が発信音を発生して通信部２から発信元へ送信して留守番電話部１９を録音待機状態にする。その後発信元からの音声を通信部２で受信すると、それを留守番電話部１９に録音させ、所定時間経過するか発信元から送られる切断信号を検出すると、通信制御部２１がオンフック状態になり、通信部２が回線を切断する。これらの処理は一般の留守番電話機能と同じであり、この発明に特有のものではないためその詳細な説明は省略する。
この留守番電話処理を終了すると、このルーチンの処理を終了し、再びスタートへ戻ってステップＳ３１で次の着呼を待つ。
【００４３】
着呼時に発信元の名称又は電話番号あるいはその両方を検出できなかった場合には、ステップＳ３６で前述のようにそれらを通知してかけ直すように促す留守番応答メッセージを発信元へ送出するため、発信元のユーザは大抵はそのメッセージを聞いて一端電話を切るので、その場合に留守番電話処理で伝言などが録音されることは殆どなく、すぐに終了してしまう。したがって、不用な伝言等が録音されるのを防止することができる。
なお、着呼時に発信元の名称又は電話番号あるいはその両方を検出できなかった場合には、ステップＳ３６で留守番応答メッセージを送出した後、ステップＳ３７の留守番電話処理を行わず、回線を切断して処理を終了し、再びスタートに戻ってステップＳ１で着呼を待つようにしてもよい。
そうすれば、不要な着信音に煩わされたり、発信元が不明な着信に誤って応答してしまうのを一層確実に防止することができる。
【００４４】
ところで、ステップＳ３６で留守番応答メッセージを文字データで送信して、送信元の電話機の表示部に文字で表示させるようにしてもよいし、音声と文字の両方でメッセージを送出するようにしてもよい。
また、留守番応答メッセージの内容や数は上述した例に限るものではない。例えば、通知検出手段１２が特定の電話番号または名称を検出した場合に、留守番電話手段２３が特別な留守番応答メッセージ（例えば、「勧誘電話および迷惑電話はお断りいたします」など）を送出するようにしてもよい。
また、それらの留守番応答メッセージの音声を、複数種類の音声からユーザが選択できるようにするとよい。さらに、ユーザがオリジナルの留守番応答メッセージを作成して記憶部１０に格納して使用できるようにしてもよい。
【００４５】
〔第２の実施形態の変形例〕
次に、この第２の実施形態の種々の変形例について、図１０〜図１４のフローチャートによって説明する。これらの変形例は、第１の実施形態に対する第１乃至第５の変形例とそれぞれ対応している。
図１０は、図８に示した電話機の制御部２０による第１の変形例の動作を示すフローチャートである。この処理において、ステップＳ３１，Ｓ３２は図９に示したフローチャートの処理と同じである。
この変形例では、着信時にステップＳ３２で通知検出手段１２が発信元から通知される名称と電話番号の検出を行なった後、ステップＳ４０で発信元の名称を検出できたか否かを判断し、検出できた場合すなわち発信元名称通知の場合はステップＳ４１へ進む。そこで呼出信号検出手段１３が呼出信号を検出すると、ステップＳ４２で鳴動制御部１６が鳴動部７を制御してベル音などの着信音を鳴らす。
【００４６】
このとき、ユーザが着信音に気がついて電話をとる（ハンドセット３を持ち上げるか、または操作部５のフックボタンを押下して電話機をオフフックする）と、ステップＳ４３で通信部２がそのオフフックを検知し、ステップＳ４４で呼出信号に応答してステップＳ４８の通話処理に進み、電話機を発信元と通話が可能な状態にする。このステップＳ４８の通話処理は、図２のフローチャートのステップＳ７の通話処理から、着信音の鳴動とオフフックの検知を除いた処理である。
そして、この通話処理においていずれか一方が電話を切ったときに処理を終了し、再びスタートに戻ってステップＳ３１で着呼を待つ。
【００４７】
しかし、留守番電話機能が設定されているので、通常はユーザが留守のため着信音が鳴動してから予め設定された時間経過してもオフフックされない場合は、ステップＳ４５で自動的にオフフック状態にして呼出信号に応答し、留守番電話手段２３がステップＳ３７の留守番電話処理を実行する。この留守番電話処理は、図９のステップＳ３７の留守番電話処理と同じであり、それを終了するとこのルーチンの処理を終了し、再びスタートに戻ってステップＳ３１で着呼を待つ。
ステップＳ４０で発信元の名称を検知できなかった場合すなわち発信元名称非通知の場合には、ステップＳ３３へ進み、呼出信号を検出するとステップＳ３４で留守番電話手段２３がその呼出信号に応答した後、ステップＳ３６で名称を検出できなかった場合に対応する留守番応答メッセージ、例えば、「只今留守にしております。しばらくしてから名称を通知しておかけ直しください。」などを、通信部２および電話線１８を介して発信元に送出する。
【００４８】
そして、ステップＳ４８の通話処理もステップＳ３７の留守番電話処理も実行することなく処理を終了し、再びスタートへ戻ってステップＳ３１で着呼を待つ。
この第１の変形例の場合は、発信元名称非通知のときには着信音が鳴らないため、ワン切りや無言電話などの迷惑電話が繰り返し着信するたびに着信音でユーザが煩わされるのを防止できるという利点がある。しかし、発信元の名称が非通知のときにも着信音が鳴るようにしてもよい。その場合でも通話処理も留守番電話処理もなされないので、発信元が不明な着信に誤ってオフフックして通話してしまったり、誹謗や嫌がらせなどの不要な伝言等が録音されてしまうようなことはない。
【００４９】
図１１は、図８に示した電話機による制御部２０の第２の変形例の動作を示すフローチャートである。この処理において、ステップＳ３１，Ｓ３２およびステップＳ４０〜Ｓ４５とＳ４８，Ｓ３７，Ｓ３３，Ｓ３４は、図１０に示したフローチャートの対応する各ステップの処理と同じであるのでその説明は省略する。この第２の変形例では、ステップＳ４０で発信元の名称を検出できたときには、ステップＳ５０で発信元の電話番号を検出できたか否かを判断し、検出できた場合には図１０に示したステップＳ４１〜Ｓ４４を経て、ステップＳ４８で通話処理を実行するか、ステップＳ４５を経てステップＳ３７で留守番電話処理を実行した後、このルーチン処理を終了する。
【００５０】
ステップＳ５０で発信元の電話番号を検出できなかったときは、ステップＳ３３，Ｓ３４で呼出信号を検出して応答した後、ステップＳ３８で留守番電話手段２３がその第１の留守番応答メッセージ、例えば「只今留守にしております。しばらくしてから電話番号を通知しておかけ直しください」を送出する。そして、通話処理も留守番電話処理も行うことなくこのルーチンの処理を終了する。すなわち、名称を検出して電話番号を検出できない場合には第１の留守番応答メッセージを送出する。
【００５１】
一方、ステップＳ４０で発信元の名称を検出でなかった場合は、ステップＳ５１で発信元の電話番号を検出できたか否かを判断し、検出できた場合すなわち発信元の名称は検出できなかったが電話番号は検出できた場合は、ステップＳ５２，５３で呼出信号を検出して応答した後、ステップＳ５４で留守番電話手段２３が第２の留守番応答メッセージ、例えば「只今留守にしております。しばらくしてから名称を通知しておかけ直しください」を送出して、通話処理も留守番電話処理も行うことなくこのルーチンの処理を終了する。
ステップＳ５１で発信元の電話番号も検出できなかった場合は、そのままこのルーチンの処理を終了する。この場合、発信元の名称と電話番号がいずれも非通知の着信には応答することなく自動的に応答拒否することができる。
いずれの場合も、このルーチンの処理を終了すると再びスタートへ戻り、ステップＳ３１で次の着呼を待つ。
【００５２】
図１２は、図８に示した電話機による制御部２０の第３の変形例の動作を示すフローチャートである。この処理において、ステップＳ５５〜Ｓ５７以外の各ステップの処理は、上述した図１１における対応する各ステップの処理と同じであるのでその説明は省略する。
この第３の変形例では、ステップＳ５１で発信元の電話番号も検出できなかった場合に、ステップＳ５５，Ｓ５６で呼出信号を検出して応答した後、ステップＳ５７で留守番電話手段２３が第３の留守番応答メッセージ、例えば「只今留守にしております。しばらくしてから名称および電話番号を通知しておかけ直しください」を送出する点だけが前述の第２の変形例と相違する。すなわち、この例では、発信元の名称と電話番号のいずれも検出できなかった場合には、第３の留守番応答メッセージを送出する。
【００５３】
このようにすれば、着呼時に発信元の名称と電話番号の両方とも検出できた場合だけ通話処理又は留守番電話処理を行うことができ、いずれか一方又は両方とも検出できなかった場合には、それぞれの場合に対応する第１から第３の留守番応答メッセージのいずれかを送出するので、非通知の着呼による着信音に煩わされたりそれに応答して通話あるいは不要な伝言等が録音されてしまったりすることを防止でき、発信元のユーザにも通話できない理由が解りやすいメッセージで知らされることになる。
【００５４】
図１３は、図８に示した電話機による制御部２０の第４の変形例の動作を示すフローチャートである。この処理においては、前述した図１２に示した第３の変形例の各ステップにおけるステップＳ５０とＳ３３，Ｓ３４，Ｓ３８を除いている。
したがってこの例では、ステップＳ４０で発信元の名称を検出できたと判断した場合には、電話番号の検出の有無に係わらず、ステップＳ４１〜Ｓ４５を経てＳ４８で通話処理を実行するか、ステップＳ３７で留守番電話処理を実行する。
一方、ステップＳ４０で発信元の名称を検出できなかったと判断した場合には、前述の第３の変形例と同じ処理を行う。したがって、発信元の名称は検出できないが電話番号を検出できた場合には第２の留守番応答メッセージを送出し、名称も電話番号も検出できなかった場合には第３の留守番応答メッセージを送出する。
【００５５】
図１４は、図８に示した電話機による制御部２０の第５の変形例の動作を示すフローチャートである。この処理においては、前述した図１２に示した第３の変形例の各ステップにおけるステップＳ５２〜Ｓ５４を除き、ステップＳ５１で発信元の電話番号を検出できたと判断した場合は、ステップＳ４１へ進んで通話処理又は留守番電話処理を行えるようにしている。
したがって、この例では、発信元の電話番号を検出できれば名称を検出できなくても通話あるいは留守番電話による伝言の録音を可能にする。そして、名称を検出できたが電話番号を検出できなかった場合は第１の留守番応答メッセージを送出し、名称も電話番号も検出できなかった場合は第３の留守番応答メッセージを送出する
【００５６】
以上の各変形例で送出する第１乃至第３の留守番応答メッセージも予め図８に示した記憶部１０に格納している。また、第２の実施形態の説明において述べたように、これらの留守番応答メッセージを文字データで送信したり、音声と文字の両方で送出するようにしてもよい。また、各留守番応答メッセージの内容や音声の種類をユーザが選択できるようにしたり、ユーザがオリジナルの各留守番応答メッセージを作成して記憶部１０に格納して使用できるようにしてもよい。
【００５７】
〔第３の実施形態〕
次に、この発明による通信端末装置の第３の実施形態について、図１５乃至図１７によって説明する。
図１５は、この発明による通信端末装置の第３の実施形態である電話機の構成を簡略化して示すブロック図である。この図１５において、図２および図８と同じ部分には同一の符号を付してあり、それらの説明は省略する。
この電話機は、制御部２５に図１に示した第１の実施形態の通信制御部１１と図８に示した第２の実施形態の留守番電話制御部２２とを備えており、ＣＰＵ８のバス１７によって相互に且つ他の各部とも接続されている。
【００５８】
図１６は、この図１５に示した電話機の制御部２５による動作例を示すフローチャートである。
この例では図１５における留守番電話制御部２２の切換手段２４によって留守番電話手段２３の機能が設定されていてもいなくても、この図１６に示すルーチンの処理をスタートし、まず最初のステップＳ３０で留守番電話が設定されているか否かを判断する。
そして、留守番電話が設定されていれば、ステップＳ３１〜Ｓ３７によって、図９に示した第２の実施形態の基本的な動作と同じ処理を実行する。また、留守番電話が設定されていなければ、ステップＳ１〜Ｓ７によって、図２に示した第１の実施形態の基本的な動作と同じ処理を実行する。
ステップＳ３７の留守番電話処理またはステップＳ７の通話処理が終了すると、このルーチンの処理を終了してスタートへ戻り、再びステップＳ３０からの処理を繰り返す。
【００５９】
この場合、電話機の部品点数を増やすことなく、留守番電話手段２３の機能が設定されている場合と解除されている場合の両方の場合に、発信元の電話番号および名称の通知／非通知に応じて各々最適な留守番応答メッセージまたは応答メッセージを送出することができる。
なお、この図１６のフローチャートでは上述のように、留守番電話機能が設定されている場合には、図９に示した第２の実施形態の基本的な動作のと処理を、留守番電話機能が設定されていない（解除されている）場合には、図２に示した第１の実施形態の基本的な動作の処理を、組み合せて実施する例を示したが、これに限るものではない。第２の実施形態の基本的な動作の処理に代えて、図１０〜図１４に示した第２の実施形態の第１乃至第５の変形例の処理のいずれかを、第１の実施形態の基本的な動作の処理に代えて、図３〜図７に示した第１の実施形態の第１乃至第５の変形例の処理のいずれかを、任意に組み合わせて実施することができる。
【００６０】
また、図１６に示したフローチャートにおいて、ステップＳ３１〜Ｓ３４の処理とステップＳ１〜Ｓ４の処理とは同じであるから、図１７に示す他の動作例のように、ステップＳ３１〜Ｓ３４（ステップＳ１〜Ｓ４でもよい）を留守番電話機能の設定／解除に関係なく共通にして、その後でステップＳ３０の留守番電話が設定されているか否かの判断を行うようにすることができる。
そして、留守番電話が設定されていれば、ステップＳ３５〜Ｓ３７によって留守番電話に関する処理を行い、留守番電話が設定されていなければ（解除されていれば）、ステップＳ５〜Ｓ７によって通話処理に関する処理を行えばよい。
【００６１】
〔この発明の実施形態の変更例〕
この発明による通信端末装置の一実施形態である電話機の制御部には、着信音（呼び出し音）を鳴らすための鳴動部７を制御する鳴動制御部１６を設けているが、そこに音調変更手段を備え、通知検出手段１２による発信元から通知される電話番号および名称の検出結果（通知／非通知）に応じて、着信音の音色、音高（周波数）、音量、メロディ（曲の種類）、テンポなど（総称して「音調」という）を変えるようにすることもできる。
例えば、着信時に図１等に示した通知検出手段１２が発信元の電話番号および名称の両方を検出できた場合には、鳴動部７に通常の音調で着信音を鳴動させる。一方、通知検出手段１２が発信元の電話番号および名称のいずれか片方を検出できなかった場合は、通常の音調とは異なる音調で着信音を鳴動させる。
【００６２】
発信元の電話番号と名称の両方とも検出できなかった場合はさらに異なる音調で着信音を鳴動させるようにしてもよい。また、発信元の電話番号のみを検出できた場合と名称のみを検出できた場合とで着信音の音調を変えるようにしてもよい。また、予めユーザが設定した特定の電話番号または名称を検出した場合には、さらにまた別の音調の着信音で鳴動するようにしてもよい。
音調変更手段では音色、音高（周波数）、メロディ（曲の種類）、テンポなどのいずれかを変えることにより、あるいはこれらを組み合わせて変えることによって異なる音調の着信音を作ることができる。
【００６３】
このようにすれば、ユーザは電話機から離れた位置に居る場合でも、着信音の音調によって発信元の電話番号および名称の通知／非通知の検出結果を知ることができるので電話機の利便性が向上する。
なお、着信音の音調は、予め記憶部１０に格納した複数の音調から、ユーザが自由に選択して設定できるようにするとよい。また、ユーザがパーソナルコンピュータなどで自作した着信音を記憶部１０に格納できるようにして、それを選択して使用できるようにしてもよい。
【００６４】
また、上述の鳴動制御部１６に音量調整手段を設け、発信元から通知される電話番号および名称の通知検出手段１２による検出結果（通知／非通知）に応じて、着信音の音量を変えるようにしてもよい。
例えば、発信元の電話番号および名称の両方を検出できた場合には、第１の音量（例えば大音量）で着信音を鳴動させる。一方、発信元の電話番号および名称のいずれか片方を検出できなかった場合には、第２の音量（例えば中音量）で着信音を鳴動させる。このとき、電話番号のみを検出できた場合と名称のみを検出できた場合でも音量を変えるようにしてもよい。
【００６５】
さらに、電話番号と名称の両方とも検出できなかった場合には、第３の音量（例えば小音量）で着信音を鳴動させるようにするとよい。これらの着信音の第１乃至第３の音量等は、ユーザが任意の音量に設定できるようにするとよい。
また、上述の鳴動制御部１６に音調変更手段と音量調整手段の両方を設け、発信元から通知される電話番号および名称の通知検出手段１２による検出結果に応じて、着信音の音調と音量の両方を変えるようにしてもよい。
【００６６】
あるいはまた、前述した各実施形態の電話機における制御部１，２０，２５等に音声発生手段を設け、発信元から通知される電話番号および名称の通知検出手段１２による検出結果（通知／非通知）に応じて、予め記憶部１０に格納した複数のデジタル音声データを選択し、デジタル／アナログ変換して鳴動部７による着信音の代りに、または着信音の鳴動とともに音声アナウンスを発生させるようにしてもよい。
【００６７】
例えば、通知検出手段１２が発信元の電話番号および名称の両方とも検出できなかった場合には第１の音声アナウンス、例えば「電話番号および名称が非通知の電話を受信しました」などを発生させる。また、電話番号を検出できなかった場合には第２の音声アナウンス、例えば「電話番号が非通知の電話を受信しました」などを発生し、名称を検出できなかった場合には第３の音声アナウンス、例えば「名称が非通知の電話を受信しました」などを発生させるようにすることもできる。
【００６８】
さらに、通知検出手段１２が検出した電話番号または名称の読みを音声アナウンスするようにしてもよい。例えば、発信元の電話番号のみを検出できた場合に「電話番号〇〇−△△△△−□□□□からの電話が着信しました」という音声アナウンスを発生したり、発信元の名称のみを検出できた場合に「××様からの電話を着信しました」という音声アナウンスを発生するようにしてもよい。
また、通知検出手段１２が検出した電話番号または名称が、電話機の記憶部１０に設けた電話帳に予めユーザが格納してある電話番号または名称とが一致した場合、通知してきた名称（例えば苗字など）ではなく、電話帳に登録されている名称（例えば氏名、あだ名など）の音声アナウンスを発生するようにしてもよい。
【００６９】
このようにすれば、ユーザが目が不自由な場合でも、表示部６の表示を確認する必要がなく容易に発信元の身元を判断することができるので、電話機の利便性がさらに向上する。
なお、これらのアナウンスは、声紋，内容，イントネーション（方言）などが異なる複数のデジタル音声データからユーザが自由に選択して設定できるようにするとよい。また、ユーザが自作のアナウンスデータを予め記憶部１０に格納し、それを選択して設定できるようにしてもよい。
また、電話機に音量調整手段と音声発生手段の両方を設け、発信元の電話番号および名称の検出結果に応じて、発生するアナウンスの音量を変えるようにしてもよい。
【００７０】
前述した各実施形態の制御部１，２０，２５等の表示制御部１５に表示色可変手段を設け、通知検出手段１２による発信元の電話番号および名称の検出結果（通知／非通知）に応じて表示部６による表示色を変えるようにしてもよい。
例えば、表示部６がＬＣＤ表示器の場合は、そのバックライト（例えばＬＥＤ）の発光色を変える。また、表示部６がカラー液晶表示機などの場合は、表示素子そのものの色を変える。
そして、発信元の電話番号と名称の両方を検出できた場合は第１の表示色（例えば緑色）でその名称と電話番号を表示し、電話番号と名称のいずれか片方のみを検出できた場合は第２の表示色（例えば黄色）でその電話番号又は名称を表示し、電話番号と名称の両方とも検出できなかった場合は第３の表示色（例えば赤色）で全体を無表示にするように、表示部６を制御する。
【００７１】
さらに、発信元の電話番号のみ検出できた場合と名称のみ検出できた場合とでも、表示部６の表示色を例えばオレンジ色と黄色のように変えるようにしてもよい。なお、これらの表示色は複数の色からユーザが自由に選択して設定できるようにするとよい。
このようにすれば、たとえユーザが耳が不自由で前述した着信音や音声アナウンスが聞こえないような場合でも、電話機から少し離れた位置からでも容易に発信元の身元を判断することができるので、電話機の利便性が一層良くなる。さらに、電話機のデザイン性も向上するという利点もある。
【００７２】
あるいはまた、上記表示制御部１５にメッセージ表示手段を設け、通知検出手段１２による発信元の電話番号および名称の検出結果に応じたメッセージを表示部６に表示するようにしてもよい。
例えば、発信元の電話番号と名称のいずれも検出できなかった場合には第１のメッセージ、例えば「電話番号と名称が通知されていません」を表示し、名称は検出できたが電話番号を検出できなかった場合には第２のメッセージ、例えば「電話番号が通知されていません」を、電話番号は検出できたが名称を検出できなかった場合には第３のメッセージ、例えば「名称が通知されていません」を、それぞれ表示部６に表示する。
これらのメッセージは予め記憶部１０に格納した複数のメッセージの中から、ユーザが自由に選択して設定できるようにするとよい。また、ユーザが自作のメッセージを記憶部１０に格納できるようにして、それを選択して設定できるようにしてもよい。あるいは、前述した応答メッセージおよび留守番応答メッセージと同じメッセージを表示部６に表示するようにしてもよい。
【００７３】
さらに、これらのメッセージに変えて、上述した第１〜第３のメッセージの各内容を表す図形やマークなどを表示するようにしてもよい。
例えば、発信元の電話番号が非通知の場合には、電話機のシルエットに×印を重ね書きしたマークなどを表示したり、発信元の名称が非通知の場合には人物のシルエットに×印を重ね書きしたマークを表示したりしてもよい。
また、表示制御部１５に表示色可変手段とメッセージ表示手段の両方を設け、通知検出手段１２による発信元の電話番号および名称の検出結果に応じて、表示部６の表示色を変えると共にメッセージを表示するようにしてもよい。
【００７４】
上述した音調変更手段、音量調整手段、音声発生手段、表示色可変手段、メッセージ表示手段等を適宜組合せて設けてもよい。
なお、前述した各実施形態では表示部６と操作部５が別体の場合について示したが、例えば表示部６にタッチパネルを用いて、表示部と操作部とを一体化してもよい。
また、この発明による通信端末装置の実施形態として電話機の場合について説明したが、これは固定電話に限るものではなく、ＰＨＳを含む携帯電話機でもよいし、携帯用通信端末（ＰＤＡ）やファクシミリ装置などにも適用できる。
【００７５】
そして、この発明をファクシミリ装置に適用した場合、発信元から通知される電話番号および名称の検出結果を用紙に印字して出力するようにしてもよい。例えば、頁ごとの余白の部分などに発信元の電話番号および名称を印字するようにするとよい。
また、この発明を携帯電話機に適用した場合、制御部に振動モード（マナーモード）における振動調整手段を設け、発信元から通知される電話番号および名称の検出結果に応じて携帯電話の振動パターンまたは振動の大きさを変えるようにしてもよい。
【００７６】
【発明の効果】
以上説明してきたように、この発明による通信端末装置によれば、着信時に発信元から通知される電話番号および名称の検出結果（通知／非通知）に応じて自動的に発信元への応答方法を変えるので、迷惑電話を防止でき、通信の安全性が向上する。そして、発信元の電話番号および名称の検出結果に応じたメッセージ（留守番応答メッセージも含む）を発信元に送出するため、発信元がそれに気づいて対応し易く、円滑なコミュニケーションにも役立つ。
【図面の簡単な説明】
【図１】この発明による通信端末装置の第１の実施形態である電話機の構成を簡略化して示すブロック図である。
【図２】図１における制御部の基本的な動作を示すフローチャートである。
【図３】図１に示した制御部の第１の変形例による動作を示すフローチャートである。
【図４】図１に示した制御部の第２の変形例による動作を示すフローチャートである。
【図５】図１に示した制御部の第３の変形例による動作を示すフローチャートである。
【図６】図１に示した制御部の第４の変形例による動作を示すフローチャートである。
【図７】図１に示した制御部の第５の変形例による動作を示すフローチャートである。
【図８】この発明による通信端末装置の第２の実施形態である電話機の構成を簡略化して示す図１と同様なブロック図である。
【図９】図８における制御部の基本的な動作を示すフローチャートである。
【図１０】図８に示した制御部の第１の変形例による動作を示すフローチャートである。
【図１１】図８に示した制御部の第２の変形例による動作を示すフローチャートである。
【図１２】図８に示した制御部の第３の変形例による動作を示すフローチャートである。
【図１３】図８に示した制御部の第４の変形例による動作を示すフローチャートである。
【図１４】図８に示した制御部の第５の変形例による動作を示すフローチャートである。
【図１５】この発明による通信端末装置の第３の実施形態である電話機の構成を簡略化して示す図１および図８と同様なブロック図である。
【図１６】図１５に示した制御部の動作例を示すフローチャートである。
【図１７】図１５に示した制御部の他の動作例を示すフローチャートである。
【符号の説明】
１，２０，２５：制御部    ２：通信部
３：ハンドセット    ５：操作部    ６：表示部
７：鳴動部    ８：ＣＰＵ    ９：フラッシュＲＯＭ
１０：記憶部    １１，２１：通信制御部
１２：通知検出手段    １３：呼出信号検出手段
１４：メッセージ送出手段    １５：表示制御部
１６：鳴動制御部    １７：バス    １８：電話線
１９：留守番電話部    ２２：留守番電話制御部
２３：留守番電話手段    ２４：切換手段
【図１】
2004236234.tif 000003
【図２】
2004236234.tif 000004
【図３】
2004236234.tif 000005
【図４】
2004236234.tif 000006
【図５】
2004236234.tif 000007
【図６】
2004236234.tif 000008
【図７】
2004236234.tif 000009
【図８】
2004236234.tif 000010
【図９】
2004236234.tif 000011
【図１０】
2004236234.tif 000012
【図１１】
2004236234.tif 000013
【図１２】
2004236234.tif 000014
【図１３】
2004236234.tif 000015
【図１４】
2004236234.tif 000016
【図１５】
2004236234.tif 000017
【図１６】
2004236234.tif 000018
【図１７】
2004236234.tif 000019